(57)【特許請求の範囲】
【請求項１】
酸素を供給するための酸素供給管に取り付け可能であって、
前記酸素供給管における取付位置の周辺温度が所定温度以上になったとき、前記取付位置において前記酸素供給管を遮断する遮断手段を備え、
前記遮断手段は、
前記酸素供給管を挟むように配置され、ばね部の弾性力により互いに他方に近づく方向に付勢された一対の遮断部材と、
前記一対の遮断部材の間に配置され、前記所定温度以上となると融解する低融点物質で形成された変形部材とを有することを特徴とする酸素供給遮断器具。
【請求項２】
前記一対の遮断部材は、ばね部の両端にそれぞれ配置された一対の脚部であって、
前記一対の脚部間の隙間は、前記ばね部から離れるにつれて広く構成されており、
前記酸素供給管および前記変形部材は、前記一対の脚部間の隙間に配置されることを特徴とする請求項１に記載の酸素供給遮断器具。
【請求項３】
前記酸素供給管は、排出口を有する酸素排出器において、前記排出口に対して酸素を供給するものであることを特徴とする請求項１または２に記載の酸素供給遮断器具。
【発明の詳細な説明】
【技術分野】
【０００１】
本発明は、酸素を供給するための酸素供給管を遮断する酸素供給遮断器具に関するものである。
【背景技術】
【０００２】
一般に、慢性呼吸器疾患の患者に対し酸素吸入療法を行う際には、酸素供給装置から供給された酸素を鼻から吸引するためのカニューラと呼ばれる器具が用いられる。カニューラに酸素を供給する酸素供給装置としては、例えば、空気中の窒素を吸着させて酸素濃縮ガスを生成する吸着方式の酸素濃縮装置（特許文献１参照）や、酸素ボンベ等が知られている。カニューラは、患者の鼻に装着されるカニューラ装着部と、一端が酸素供給装置に接続されておりカニューラ装着部に酸素を供給する酸素供給管とで構成されている。したがって、酸素供給装置から供給された酸素は、酸素供給管を介してカニューラ装着部の排出口から排出される。
【０００３】
ここで、例えばカニューラの周辺温度が火災などにより非常に高温になった場合に、カニューラ装着部の排出口からの酸素の排出を停止させる際には、電源スイッチを操作して酸素濃縮装置の電源を停止することなどが考えられる。
【先行技術文献】
【特許文献】
【０００４】
【特許文献１】特開２００８−１３６６６３号公報
【発明の概要】
【発明が解決しようとする課題】
【０００５】
しかしながら、使用者がカニューラ装着部の排出口からの酸素の排出を停止させる必要性に気づいておらず、そのために必要な行為がなされなかった場合、もしくは気づいているが行動できない場合には、適切に酸素の排出を停止させることができない。
【０００６】
そこで、本発明は、上記のような課題を解決するためになされたものであり、酸素供給管によって酸素が供給されるのを自動的に停止できる酸素供給遮断器具を提供することを目的とする。
【課題を解決するための手段】
【０００７】
第１の発明にかかる酸素供給遮断器具は、酸素を供給するための酸素供給管に取り付け可能であって、前記酸素供給管における取付位置の周辺温度が所定温度以上になったとき、前記取付位置において前記酸素供給管を遮断する遮断手段を備え、前記遮断手段は、前記酸素供給管を挟むように配置され、ばね部の弾性力により互いに他方に近づく方向に付勢された一対の遮断部材と、前記一対の遮断部材の間に配置され、前記所定温度以上となると融解する低融点物質で形成された変形部材とを有することを特徴とする。
【０００８】
なお、本明細書においては、「（酸素供給遮断器具の）取付位置の周辺温度」とは、「酸素供給遮断器具の少なくとも一部の温度」を示すものとする。
【０００９】
この酸素供給装置では、取付位置の周辺温度、すなわち酸素供給遮断器具の少なくとも一部の温度が所定温度以上になったとき、取付位置において酸素の供給を遮断することで、酸素供給管によって酸素が供給されるのを自動的に停止できる。
この酸素供給遮断器具では、所定温度以上となり低融点物質で形成された変形部材が融解することで、遮断部材が取付位置において酸素供給管を遮断し、排出口から酸素が排出されるのを自動的に停止できる。
第２の発明にかかる酸素供給遮断器具では、第１の発明にかかる酸素供給遮断器具において、前記一対の遮断部材は、ばね部の両端にそれぞれ配置された一対の脚部であって、前記一対の脚部間の隙間は、前記ばね部から離れるにつれて広く構成されており、前記酸素供給管および前記変形部材は、前記一対の脚部間の隙間に配置されることを特徴とする。
【００１０】
第３の発明にかかる酸素供給遮断器具では、第１または第２の発明にかかる酸素供給遮断器具において、前記酸素供給管は、排出口を有する酸素排出器において、前記排出口に対して酸素を供給するものである。
【００１１】
この酸素供給装置では、取付位置の周辺温度、すなわち酸素供給遮断器具の少なくとも一部の温度が所定温度以上になったとき、取付位置において酸素の供給を遮断することで、排出口から酸素が排出されるのを自動的に停止できる。また、酸素供給管が遮断された後で、排出口から流出する酸素は、酸素供給管における酸素供給遮断器具の取付位置よりも排出口側に残留した酸素である。すなわち、その残留した酸素の量は、酸素供給管に酸素を供給する酸素供給装置と排出口との間にある酸素より少なくなる。よって、酸素供給装置から酸素供給管に対して酸素が供給されるのを停止される場合に比べて、排出口から酸素が流出するのを迅速に停止することができる。また、排出口を有する酸素排出器に酸素供給遮断器具を取り付けることで、排出口から排出される酸素に引火して酸素排出器の温度が上昇した場合などに、酸素供給管を迅速に遮断できる。
【００１２】
【００１３】
【００１４】
【００１５】
【００１６】
【００１７】
【００１８】
【００１９】
【発明の効果】
【００２０】
以上の説明に述べたように、本発明によれば、以下の効果が得られる。
【００２１】
第１の発明では、取付位置の周辺温度、すなわち酸素供給遮断器具の少なくとも一部の温度が所定温度以上になったとき、取付位置において酸素の供給を遮断することで、酸素供給管によって酸素が供給されるのを自動的に停止できる。
第１の発明では、所定温度以上となり低融点物質で形成された変形部材が融解することで、遮断部材が取付位置において酸素供給管を遮断し、排出口から酸素が排出されるのを自動的に停止できる。
【００２２】
第３の発明では、取付位置の周辺温度、すなわち酸素供給遮断器具の少なくとも一部の温度が所定温度以上になったとき、取付位置において酸素の供給を遮断することで、排出口から酸素が排出されるのを自動的に停止できる。また、酸素供給管が遮断された後で、排出口から流出する酸素は、酸素供給管における酸素供給遮断器具の取付位置よりも排出口側に残留した酸素である。すなわち、その残留した酸素の量は、酸素供給管に酸素を供給する酸素供給装置と排出口との間にある酸素より少なくなる。よって、酸素供給装置から酸素供給管に対して酸素が供給されるのを停止される場合に比べて、排出口から酸素が流出するのを迅速に停止することができる。また、排出口を有する酸素排出器に酸素供給遮断器具を取り付けることで、排出口から排出される酸素に引火して酸素排出器の温度が上昇した場合などに、酸素供給管を迅速に遮断できる。
【００２３】
【００２４】
【００２５】
【００２６】
【図面の簡単な説明】
【００２７】
【図１】本発明の第１実施形態にかかる酸素供給遮断器具がカニューラに取り付けられた状態を示す図である。
【図２】図１に示す酸素供給遮断器具の側面図である。
【図３】図１に示す酸素供給遮断器具の正面図である。
【図４】図１に示す酸素供給遮断器具によって酸素供給管が遮断された状態を示す図である。
【図５】本発明の第１参考例にかかる酸素供給遮断器具を示す図である。
【図６】図５に示す酸素供給遮断器具よって酸素供給管が遮断された状態を示す図である。
【図７】本発明の第２参考例にかかる酸素供給遮断器具を示す図である。
【図８】図７に示す酸素供給遮断器具よって酸素供給管が遮断された状態を示す図である。
【図９】本発明の第３参考例にかかる酸素供給遮断器具を示す図である。
【図１０】図９に示す酸素供給遮断器具よって酸素供給管が遮断された状態を示す図である。
【発明を実施するための形態】
【００２８】
[第１実施形態]
以下、本発明にかかる酸素供給遮断器具の第１実施形態について、図１〜図４を参照しつつ説明する。
【００２９】
本実施形態の酸素供給遮断器具１は、図１に示すカニューラ６０（酸素排出器）に適用されるものである。カニューラ６０は、酸素吸入療法を行う患者が、酸素濃縮装置や酸素ボンベ等の酸素供給源（図示せず）から供給された酸素を鼻から吸引するための器具であり、カニューラ装着部６１及び可撓性を有する酸素供給管６５を有している。
【００３０】
カニューラ装着部６１は、管状の基部６２、及び基部６２の中間部分から延びた一対の管状のプロング部６３で構成されている。プロング部６３の端部には、酸素供給源から供給された酸素が排出される排出口６３ａが形成されている。カニューラ６０を患者に装着する際には、カニューラ装着部６１の基部６２を患者の鼻の下方に配置し、一対のプロング部６３を鼻孔に挿入する。
【００３１】
酸素供給管６５は、一端が酸素供給源に接続された主管６６と、主管６６の酸素供給源に接続されている側とは反対側の他端に接続された２本の枝管６７とで構成されている。各枝管６７の主管６６に接続されている側とは反対側の端部は、カニューラ装着部６１の基部６２の両端にそれぞれ接続されている。したがって、酸素供給源からカニューラ６０に供給された酸素は、まず酸素供給管６５の主管６６に流入する。そして、酸素供給管６５の各枝管６７を介してカニューラ装着部６１へと送られる。
【００３２】
酸素供給遮断器具１は、図１に示すように、酸素供給管６５の主管６６に取り付けられる。図２及び図３に示すように、酸素供給遮断器具１は、クリップ１０と、クリップ１０を開状態に維持する支持部材１５とを有している。
【００３３】
クリップ１０は、針金で形成されており、コイルばね部１１と、酸素供給管６５の外周面において主管６６を挟み込むように配置された一対の脚部１２、１３とで構成されている。脚部１２、１３は、コイルばね部１１の両端にそれぞれ設けられており、コイルばね部１１の弾性力により互いに近づく方向に付勢されている。
【００３４】
支持部材１５は、所定温度以上となると融解する低融点物質で構成されている。低融点物質としては、例えば、融点約６０℃のSn１９％、Bi５３．５％、Pb１７％、In１０．５％の合金等が用いられる。支持部材１５は、クリップ１０の脚部１２、１３の間に配置されており、脚部１２、１３間のすき間を、脚部１２、１３によって挟まれている酸素供給管６５が変形することがない程度の大きさに維持する（開状態に維持する）よう、脚部１２、１３を支持している。
【００３５】
なお、クリップ１０の脚部１２、１３は本発明の遮断部材に対応し、支持部材１５は本発明の変形部材に対応する。また、クリップ１０と支持部材１５とは本発明の遮断手段に対応する。
【００３６】
酸素供給遮断器具１の周囲温度が支持部材１５の融点未満である場合には、図３に示すように、クリップ１０が開状態となっており、脚部１２、１３で挟まれた酸素供給管６５は変形しない。そして、酸素供給遮断器具１の周辺温度が上昇して支持部材１５の融点以上となると、支持部材１５が融解し、図４に示すように、クリップ１０が閉状態となる。このとき、脚部１２、１３によって酸素供給管６５が押し潰される。これにより、酸素供給遮断器具１の取付位置において酸素供給管６５が遮断される。なお、「酸素供給遮断器具１の周辺温度」とは、「酸素供給遮断器具の少なくとも一部の温度」を示すものである。
【００３７】
以上のように、第１実施形態の酸素供給遮断器具１は、カニューラ６０の酸素供給管６５に取り付けられるものであり、酸素供給管６５を挟み込む脚部１２、１３を有するクリップ１０を備えている。そして、酸素供給管６５における取付位置の周辺温度が所定温度以上になったとき、脚部１２、１３によって酸素供給管６５を押し潰すことで、取付位置において酸素供給管６５を遮断できる。したがって、酸素供給遮断器具１の取付位置の周辺温度が所定温度以上となった際に、取付位置において酸素の供給を遮断することで、カニューラ装着部６１の排出口６３ａから酸素が排出されるのを自動的に停止できる。また、酸素供給管６５が遮断された後で、カニューラ装着部６１の排出口６３ａから流れ続ける酸素は、酸素供給管６５における酸素供給遮断器具１の取付位置よりもカニューラ装着部６１側に残留した酸素である。すなわち、その残留した酸素の量は、カニューラ６０に酸素を供給する酸素供給装置とカニューラ装着部６１との間にある酸素より少なくなる。よって、酸素供給装置から酸素供給管６５に対して酸素が供給されるのを停止される場合に比べて、カニューラ装着部６１の排出口６３ａから酸素が流れ続けるのを迅速に停止することができる。さらに、カニューラ６０が、酸素が排出される排出口６３ａが形成されたカニューラ装着部６１側から燃え始め、酸素供給装置に向けて燃え広がった場合でも、酸素供給管６５における酸素供給遮断器具１が取り付けられた位置まで燃え、酸素供給遮断器具１により酸素供給管６５が押し潰された後は、燃え残った酸素供給管６５の端部からの酸素の排出を停止すると共に、それ以上酸素供給装置側に燃え広がるのを防ぐことができる。
【００３８】
また、第１実施形態の酸素供給遮断器具１は、酸素供給管６５を挟み込むように配置され、互いに近づく方向に付勢されている一対の脚部１２、１３と、一対の脚部１２、１３の間に配置され、所定温度以上になると融解する低融点物質で形成された支持部材１５とを有している。したがって、所定温度以上となり低融点物質で形成された支持部材１５が融解することで、脚部１２、１３が取付位置において酸素供給管６５を遮断し、カニューラ装着部６１から酸素が排出されるのを自動的に停止できる。
【００３９】
［第１参考例］
次に、図５、図６を参照しつつ、第１参考例にかかる酸素供給遮断器具について説明する。
【００４０】
本参考例にかかる酸素供給遮断器具１０１は、第１実施形態のクリップ１０に換えて、例えば、形状回復温度約７０℃のNiTi合金等の形状記憶合金からなる針金で形成されたクリップ１１０を用いたものである。本実施形態のクリップ１１０を構成する形状記憶物質は、周囲温度が所定温度以上になるとクリップ１１０が閉状態となるように記憶されている。
【００４１】
なお、クリップ１１０の脚部１１２、１１３は本発明の遮断部材に対応し、クリップ１１０は本発明の遮断部材に対応する。
【００４２】
周囲温度が所定温度未満である場合には、図５に示すように、クリップ１１０が開状態となっており、脚部１１２、１１３間のすき間が、脚部１１２、１１３によって挟まれている酸素供給管６５が変形することがない程度の大きさとなっている。そして、周囲温度が所定温度以上となると、図６に示すように、脚部１１２、１１３が互いに近づくように変形して閉状態となる。このとき、脚部１１２、１１３によって酸素供給管６５が押し潰される。これにより、酸素供給遮断器具１０１の取付位置において酸素供給管６５が遮断される。
【００４３】
以上のように、第１参考例の酸素供給遮断器具１０１では、酸素供給管６５の外周に配置される一対の脚部１１２、１１３を有するクリップ１１０は、所定温度以上になると、取付位置において脚部１１２、１１３が酸素供給管６５を遮断する形状となるように変形する形状記憶物質で形成されている。したがって、所定温度以上となり形状記憶物質で形成されたクリップ１１０が変形することで、取付位置において酸素供給管６５を遮断し、カニューラ装着部６１から酸素が排出されるのを自動的に停止できる。
【００４４】
［第２参考例］
次に、図７、図８を参照しつつ、第２参考例にかかる酸素供給遮断器具について説明する。
【００４５】
本参考例にかかる酸素供給遮断器具２０１は、酸素供給管６５の外周に配置されており、酸素供給管６５の外周面を全周にわたって被覆する被覆管２１０からなる。被覆管２１０は、例えば、収縮温度約７０℃のポリオレフィン等の熱収縮物質からなる。通常状態では、被覆管２１０の内径は酸素供給管６５の外径よりも若干大きい。熱収縮温度以上となると、被覆管２１０は収縮し、その内径は酸素供給管６５の外径より小さくなる。なお、被覆管２１０は本発明の遮断部材及び遮断手段に対応する。
【００４６】
周囲温度が所定温度未満である場合には、図７に示すように、被覆管２１０で覆われた酸素供給管６５は変形しない。そして、周囲温度が所定温度以上となると、図８に示すように、被覆管２１０が収縮し、被覆管２１０によって酸素供給管６５が押し潰される。これにより、酸素供給遮断器具２０１の取付位置において酸素供給管６５が遮断される。
【００４７】
以上のように、第２参考例の酸素供給遮断器具２０１では、酸素供給管６５の外周に、所定温度以上となると、取付位置において酸素供給管６５を遮断するように変形する熱収縮物質で形成された被覆管２１０が配置されている。したがって、所定温度以上となり熱収縮物質で形成された被覆管２１０が変形することで、取付位置において酸素供給管６５を遮断し、カニューラ装着部６１から酸素が排出されるのを自動的に停止できる。
【００４８】
［第３参考例］
次に、図９、図１０を参照しつつ、第３参考例にかかる酸素供給遮断器具について説明する。
【００４９】
本参考例にかかる酸素供給遮断器具３０１は、酸素供給管６５の外周に配置されていると共に酸素供給管６５の外周面を全周にわたって被覆する被覆管３１０と、酸素供給管６５と被覆管３１０との間に配置された熱発泡剤３１１とからなる。熱発泡剤３１１としては、例えば、発泡温度約１４０℃のアゾジカルボンアミド等を用いる。被覆管３１０の内径は、酸素供給管６５の外径よりも大きく、酸素供給管６５の外周面と被覆管３１０の内周面との間のすき間に熱発泡剤３１１が配置されている。
【００５０】
なお、被覆管３１０は本発明の遮断部材に対応し、被覆管３１０及び熱発泡剤３１１は本発明の遮断手段に対応する。
【００５１】
周囲温度が所定温度未満であり、熱発泡剤３１１が発泡してない状態では、図９に示すように、被覆管３１０で覆われた酸素供給管６５は変形しない。そして、周囲温度が所定温度以上となると、図１０に示すように、熱発泡剤３１１が発泡し、酸素供給管６５が押し潰される。これにより、酸素供給遮断器具３０１の取付位置において酸素供給管６５が遮断される。
【００５２】
以上のように、第３参考例の酸素供給遮断器具３０１は、酸素供給管６５の外周に配置された被覆管３１０と、酸素供給管６５と被覆管３１０との間に配置され、所定温度以上になると、取付位置において酸素供給管６５を遮断するように変形する熱発泡剤３１１とを有している。したがって、所定温度以上となり熱発泡剤３１１が変形することで、取付位置において酸素供給管６５を遮断し、カニューラ装着部６１から酸素が排出されるのを自動的に停止できる。
【００５３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５４】
例えば、上述の第２参考例では、酸素供給遮断器具２０１は、酸素供給管６５の外周面を全周にわたって被覆すると共に、熱収縮物質からなる被覆管２１０からなる場合について説明したが、これには限定されない。被覆管２１０に換えて、熱収縮物質からなるテープを用い、酸素供給管６５の外周面を全周にわたって被覆してもよい。さらに、酸素供給管６５の外周面の全周でなく周方向の一部分のみを被覆する被覆部材を用いてもよい。
【００５５】
また、上述の第３参考例では、酸素供給管６５と酸素供給管６５の外周面を全周にわたって被覆する被覆管３１０との間に熱発泡剤３１１を配置する場合について説明したが、これには限定されない。酸素供給管６５の外周面の全周でなく周方向の一部分のみを被覆する被覆部材を用いてもよい。加えて、酸素供給管６５と被覆管３１０との間に配置されるのは、所定温度以上となった際に体積が増大するような部材であれば良い。すなわち、例えば、熱発砲剤３１１の代わりに、火薬等のガス発生剤を袋詰めしたものを用い、所定温度以上となった際にガスが発生して袋が膨張するようにしてもよい。
【００５６】
また、上述の第１実施形態および第１〜第３参考例では、酸素供給遮断器具１によって、カニューラ６０の酸素供給管６５を遮断する場合について説明したが、これには限定されない。酸素供給遮器具１は、カニューラ６０の酸素供給管６５に限らず、酸素を供給するための酸素供給管一般に適用できる。
【産業上の利用可能性】
【００５７】
本発明を利用すれば、酸素供給管によって酸素が供給されるのを自動的に停止できる。
【符号の説明】
【００５８】
１、１０１、２０１、３０１  酸素供給遮断器具
１０  クリップ（遮断手段）
１２、１３  脚部（遮断部材）
１５  支持部材（遮断手段、変形部材）
６０  カニューラ（酸素排出器）
６３ａ  排出口
６５  酸素供給管
１１０  クリップ（遮断手段）
１１２、１１３（遮断部材）
２１０  被覆管（遮断手段、遮断部材）
３１０  被覆管（遮断手段、遮断部材）
３１１  熱発泡剤（遮断手段、体積増大部材）
【図１】
0005621379.tif 000002
【図２】
0005621379.tif 000003
【図３】
0005621379.tif 000004
【図４】
0005621379.tif 000005
【図５】
0005621379.tif 000006
【図６】
0005621379.tif 000007
【図７】
0005621379.tif 000008
【図８】
0005621379.tif 000009
【図９】
0005621379.tif 000010
【図１０】
0005621379.tif 000011